(57)【要約】【課題】情報を登録する際にガス器具の種類による特性の差が考慮されておらず、登録流量情報が最適な値ではないため、ガス器具の判別を誤認識すること。【解決手段】ガス流路６に流れる流量を計測する流量計測手段７と、流量計測手段７の流量値と計測された流量値が継続する時間長さの流量情報を記憶する流量情報記憶手段８と、ガス流路６に接続されたガス器具９の種類にあわせて個別の条件でガス器具９を動作させて器具情報を登録する器具登録手段１０と、器具登録手段１０で作業者が登録作業を行うための操作手段１１と、流量計測手段７で計測した流量情報と器具登録手段１０によって登録された流量情報を比較して使用器具を判別する器具判別手段１３とを備えた構成とすることにより、器具情報と流量情報を記憶したガス器具９はガス器具９の種類による特性の差を考慮することが可能であり、より精度良く使用器具を判別することが可能となる。【選択図】図１
2008107269.tif 000002
【特許請求の範囲】
【請求項１】
ガス流路に流れる流量を計測する流量計測手段と、前記流量計測手段の流量値と計測された流量値が継続する時間長さの流量情報を記憶する流量情報記憶手段と、前記ガス流路に接続されたガス器具の種類にあわせて器具特有の流量情報が得られる個別の条件で前記ガス器具を動作させて器具情報を登録する器具登録手段と、前記器具登録手段で作業者が登録作業を行うための操作手段と、前記流量計測手段で計測した流量情報と前記器具登録手段によって登録された流量情報を比較して使用器具を判別する器具判別手段とを備えた流量計測装置。
【請求項２】
登録作業を行うガス器具が給湯器である場合に、最低温度設定の状態で器具情報の登録作業を行う構成とした請求項１記載の流量計測装置。
【請求項３】
登録作業を行うガス器具が床暖房等の温水利用の暖房器具または乾燥器具である場合に、所定の時間以上動作させて器具情報の登録作業を行う構成とした請求項１に記載の流量計測装置。
【請求項４】
登録作業を行うガス器具がエアコン等の室内機と室外機を有する空調システム器具である場合に、各室内機毎に器具情報の登録作業を行う構成とした請求項１に記載の流量計測装置。
【請求項５】
登録作業を行うガス器具がファンヒーター等の温風利用の暖房器具である場合に、複数回動作させて平均値を用いて器具情報の登録作業を行う構成とした請求項１に記載の流量計測装置。
【請求項６】
登録作業を行うガス器具がファンヒーター等の温風利用の暖房器具である場合に、最高温度設定と最低温度設定の流量値の幅で器具情報の登録作業を行う構成とした請求項１に記載の流量計測装置。
【請求項７】
登録作業を行うガス器具がストーブ等の赤外線利用の暖房器具である場合に、複数回動作させて平均値を用いて器具情報の登録作業を行う構成とした請求項１に記載の流量計測装置。
【請求項８】
登録作業を行うガス器具がストーブ等の赤外線利用の暖房器具である場合に、暖房能力設定毎に器具情報の登録作業を行う構成とした請求項１に記載の流量計測装置。
【請求項９】
登録作業を行うガス器具がガスコンロまたはガスグリル等の調理器具である場合に、複数回動作させて平均値を用いて器具情報の登録作業を行う構成とした請求項１に記載の流量計測装置。
【請求項１０】
登録作業を行うガス器具がガスコンロまたはガスグリル等の調理器具である場合に、最大流量値と最小流量値の幅で器具情報の登録作業を行う構成とした請求項１に記載の流量計測装置。
【請求項１１】
登録作業を行うガス器具がガスコンロまたはガスグリル等の調理器具である場合に、複数あるコンロとグリルを個別に器具情報の登録作業を行う構成とした請求項１に記載の流量計測装置。
【請求項１２】
登録作業を行うガス器具がガスオーブン等の調理器具である場合に、複数回動作させて平均値を用いて器具情報の登録作業を行う構成とした請求項１に記載の流量計測装置。
【請求項１３】
登録作業を行うガス器具がガスオーブン等の調理器具である場合に、設定温度毎に器具情報の登録作業を行う構成とした請求項１に記載の流量計測装置。
【請求項１４】
登録作業を行うガス器具がガス炊飯器等の調理器具である場合に、複数回動作させて平均値を用いて器具情報の登録作業を行う構成とした請求項１に記載の流量計測装置。
【請求項１５】
登録作業を行うガス器具がガス炊飯器等の調理器具である場合に、最大炊飯量と最小炊飯量の流量値の幅で器具情報の登録作業を行う構成とした請求項１に記載の流量計測装置。
【請求項１６】
登録作業を行うガス器具が衣類乾燥機等の器具である場合に、複数回動作させて平均値を用いて器具情報の登録作業を行う構成とした請求項１に記載の流量計測装置。
【請求項１７】
登録作業を行うガス器具が衣類乾燥機等の器具である場合に、最大負荷のコースと最小負荷のコースの流量値の幅で器具情報の登録作業を行う構成とした請求項１に記載の流量計測装置。
【請求項１８】
登録作業を行うガス器具が食器洗い乾燥機等の器具である場合に、複数回動作させて平均値を用いて器具情報の登録作業を行う構成とした請求項１に記載の流量計測装置。
【請求項１９】
登録作業を行うガス器具が食器洗い乾燥機等の器具である場合に、最大負荷のコースと最小負荷のコースの流量値の幅で器具情報の登録作業を行う構成とした請求項１に記載の流量計測装置。
【請求項２０】
器具登録手段は、あらかじめ代表的な器具情報が設定されている構成とした請求項１に記載の流量計測装置。
【請求項２１】
器具登録手段は、器具情報の登録時に季節等の条件で登録作業が困難な場合に、あらかじめ設定された器具情報で代用する構成とした請求項２０に記載の流量計測装置。
【請求項２２】
器具登録手段は、器具情報の登録をあらかじめ設定された情報で代用した場合に、登録作業が可能な時期がきたら、あらかじめ設定した連絡先に報知する報知手段を有する構成とした請求項２２に記載の流量計測装置。
【請求項２３】
器具登録手段は、器具情報の登録時にガス圧を測定し、その値を同時に登録する構成とした請求項１に記載の流量計測装置。
【請求項２４】
器具登録手段は、登録時のガス圧から所定値以上のガス圧の変動があった場合に、あらかじめ設定した連絡先に報知する報知手段を有する構成とした請求項２３に記載の流量計測装置。
【請求項２５】
操作手段は、任意に着脱可能な構成となっている請求項１〜２４のいずれか１項に記載の流量計測装置。
【請求項２６】
操作手段は、無線で接続する構成となっている請求項１〜２４のいずれか１項に記載の流量計測装置。
【請求項２７】
流量計測手段は、瞬時流量計測手段としての超音波流量計を用いた請求項１〜２６のいずれか１項記載の流量計測装置。
【発明の詳細な説明】
【技術分野】
【０００１】
本発明は、流路に接続された器具を、流量情報を基に判別する器具判別手段を備えた流量計測装置に関するものである。
【背景技術】
【０００２】
従来、この種の流量計測装置は、図２７に示すように、ガス流路に流れるガス流量を計測するガス流量計測手段１と、この計測結果より流量の増加を検出する流量増加検出手段２と、この流量増加に伴うガス流量の瞬時増減変化を検出する流量増減検出手段３と、前記瞬時増減変化検出時に新たなガス燃焼器具の使用開始を判定する器具判定手段４と、前記流量増加検出手段で検出されたガス流量の増加分を、前記新たなガス燃焼器具の使用開始に伴うガス流量の増加分として登録する流量登録手段５とを備えていた（例えば、特許文献１参照）。
【０００３】
上記構成によって、新たにガス燃焼器具の使用を開始した場合にガス流量は瞬時に増減変化して安定したガス流量になる事に着目し、増減変化を判定時に新たなガス燃焼器具の使用開始を判定することで、簡易な方法で新たなガス燃焼器具の使用開始を判定し、新たなガス燃焼器具の使用によるガス増加分を登録することができるものである。
【特許文献１】特開２００２−１７４５４２号公報
【発明の開示】
【発明が解決しようとする課題】
【０００４】
しかしながら、前記従来の構成では、情報を登録する際にガス器具の種類による特性の差が考慮されておらず、登録流量情報が最適な値ではないため、ガス器具の判別を誤認識するという課題があった。
【課題を解決するための手段】
【０００５】
前記従来の課題を解決するために、本発明の流量計測装置は、ガス流路に流れる流量を計測する流量計測手段と、前記流量計測手段の流量値と計測された流量値が継続する時間長さの流量情報を記憶する流量情報記憶手段と、前記ガス流路に接続されたガス器具の種類にあわせて器具特有の流量情報が得られる個別の条件で前記ガス器具を動作させて器具情報を登録する器具登録手段と、前記器具登録手段で作業者が登録作業を行うための操作手段と、前記流量計測手段で計測した流量情報と前記器具登録手段によって登録された流量情報を比較して使用器具を判別する器具判別手段とを備えたものである。
【０００６】
これによって、器具情報と器具特有の流量情報を記憶した器具登録手段を備えることになり、計測流量情報との比較においてガス器具の種類による特性の差を考慮した比較処理が可能となり、より精度良く使用器具を判別することが可能となる。
【発明の効果】
【０００７】
本発明の流量計測装置は、ガス器具の種類に対応して器具特有の流量情報が得られる個別の条件で作動させたときの流量情報を器具情報として登録する器具登録手段を設けているため、計測流量情報との比較においてガス器具の種類による特性の差を考慮した比較処理が可能となり、より精度よく使用器具を判別することができる。
【発明を実施するための最良の形態】
【０００８】
第１の発明は、ガス流路に流れる流量を計測する流量計測手段と、前記流量計測手段の流量値と計測された流量値が継続する時間長さの流量情報を記憶する流量情報記憶手段と
、前記ガス流路に接続されたガス器具の種類にあわせて器具特有の流量情報が得られる個別の条件で前記ガス器具を動作させて器具情報を登録する器具登録手段と、前記器具登録手段で作業者が登録作業を行うための操作手段と、前記流量計測手段で計測した流量情報と前記器具登録手段によって登録された流量情報を比較して使用器具を判別する器具判別手段とを備えた構成とすることにより、器具情報と器具特有の流量情報を記憶した器具登録手段を備えることになり、計測流量情報との比較においてガス器具の種類による特性の差を考慮した比較処理が可能となり、より精度良く使用器具を判別することが可能となる。
【０００９】
第２の発明は、特に、第１の発明の登録作業を行うガス器具が給湯器である場合に、最低温度設定の状態で器具情報の登録作業を行う構成とすることにより、使用する給湯器の最小流量値を登録することが可能となり、より精度良く使用器具を判別することができる。
【００１０】
第３の発明は、特に、第１の発明の登録作業を行うガス器具が床暖房等の温水利用の暖房器具または乾燥器具である場合に、所定の時間以上動作させて器具情報の登録作業を行う構成とすることにより、時間経過を考慮した動作パターンを登録することが可能となり、より精度良く使用器具を判別することができる。
【００１１】
第４の発明は、特に、第１の発明の登録作業を行うガス器具がエアコン等の室内機と室外機を有する空調システム器具である場合に、各室内機毎に器具情報の登録作業を行う構成とすることにより、各室内機毎に判別することが可能となり、より精度良く使用器具を判別することができる。
【００１２】
第５の発明は、特に、第１の発明の登録作業を行うガス器具がファンヒーター等の温風利用の暖房器具である場合に、複数回動作させて平均値を用いて器具情報の登録作業を行う構成とすることにより、器具動作時の流量情報のバラツキを考慮することが可能となり、より精度良く使用器具を判別することができる。
【００１３】
第６の発明は、特に、第１の発明の登録作業を行うガス器具がファンヒーター等の温風利用の暖房器具である場合に、最高温度設定と最低温度設定の流量値の幅で器具情報の登録作業を行う構成とすることにより、起動時等の最大流量値と温度制御による最小流量値を登録することが可能となり、より精度良く使用器具を判別することができる。
【００１４】
第７の発明は、特に、第１の発明の登録作業を行うガス器具がストーブ等の赤外線利用の暖房器具である場合に、複数回動作させて平均値を用いて器具情報の登録作業を行う構成とすることにより、器具動作時の流量情報のバラツキを考慮することが可能となり、より精度良く使用器具を判別することができる。
【００１５】
第８の発明は、特に、第１の発明の登録作業を行うガス器具がストーブ等の赤外線利用の暖房器具である場合に、暖房能力設定毎に器具情報の登録作業を行う構成とすることにより、暖房能力設定毎の流量を個別に登録ことが可能となり、より精度良く使用器具を判別することができる。
【００１６】
第９の発明は、特に、第１の発明の登録作業を行うガス器具がガスコンロまたはガスグリル等の調理器具である場合に、複数回動作させて平均値を用いて器具情報の登録作業を行う構成とすることにより、器具動作時の流量情報のバラツキを考慮することが可能となり、より精度良く使用器具を判別することができる。
【００１７】
第１０の発明は、特に、第１の発明の登録作業を行うガス器具がガスコンロまたはガス
グリル等の調理器具である場合に、最大流量値と最小流量値の幅で器具情報の登録作業を行う構成とすることにより、調理時の火加減に関係なく使用器具を判別することが可能となり、より精度良く使用器具を判別することができる。
【００１８】
第１１の発明は、特に、第１の発明の登録作業を行うガス器具がガスコンロまたはガスグリル等の調理器具である場合に、複数あるコンロとグリルを個別に器具情報の登録作業を行う構成とすることにより、各コンロとグリル毎に登録して判別することが可能となり、より精度良く使用器具を判別することができる。
【００１９】
第１２の発明は、特に、第１の発明の登録作業を行うガス器具がガスオーブン等の調理器具である場合に、複数回動作させて平均値を用いて器具情報の登録作業を行う構成とすることにより、器具動作時の流量情報のバラツキを考慮することが可能となり、より精度良く使用器具を判別することができる。
【００２０】
第１３の発明は、特に、第１の発明の登録作業を行うガス器具がガスオーブン等の調理器具である場合に、設定温度毎に器具情報の登録作業を行う構成とすることにより、設定温度毎の動作パターンを登録することが可能となり、より精度良く使用器具を判別することができる。
【００２１】
第１４の発明は、特に、第１の発明の登録作業を行うガス器具がガス炊飯器等の調理器具である場合に、複数回動作させて平均値を用いて器具情報の登録作業を行う構成とすることにより、器具動作時の流量情報のバラツキを考慮することが可能となり、より精度良く使用器具を判別することができる。
【００２２】
第１５の発明は、特に、第１の発明の登録作業を行うガス器具がガス炊飯器等の調理器具である場合に、最大炊飯量と最小炊飯量の流量値の幅で器具情報の登録作業を行う構成とすることにより、実使用時の流量範囲を登録することが可能となり、より精度良く使用器具を判別することができる。
【００２３】
第１６の発明は、特に、第１の発明の登録作業を行うガス器具が衣類乾燥機等の器具である場合に、複数回動作させて平均値を用いて器具情報の登録作業を行う構成とすることにより、器具動作時の流量情報のバラツキを考慮することが可能となり、より精度良く使用器具を判別することができる。
【００２４】
第１７の発明は、特に、第１の発明の登録作業を行うガス器具が衣類乾燥機等の器具である場合に、最大負荷のコースと最小負荷のコースの流量値の幅で器具情報の登録作業を行う構成とすることにより、実使用時の流量範囲を登録することが可能となり、より精度良く使用器具を判別することができる。
【００２５】
第１８の発明は、特に、第１の発明の登録作業を行うガス器具が食器洗い乾燥機等の器具である場合に、複数回動作させて平均値を用いて器具情報の登録作業を行う構成とすることにより、器具動作時の流量情報のバラツキを考慮することが可能となり、より精度良く使用器具を判別することができる。
【００２６】
第１９の発明は、特に、第１の発明の登録作業を行うガス器具が食器洗い乾燥機等の器具である場合に、最大負荷のコースと最小負荷のコースの流量値の幅で器具情報の登録作業を行う構成とすることにより、実使用時の流量範囲を登録することが可能となり、より精度良く使用器具を判別することができる。
【００２７】
第２０の発明は、特に、第１の発明の器具登録手段を、あらかじめ代表的な器具情報が
設定されている構成とすることにより、ガス器具の登録作業を行っていなくても、使用器具を判別することが可能となり、すぐに登録作業を行うことが困難な場合でもある一定の精度で使用器具を判別することができる。
【００２８】
第２１の発明は、特に、第２０の発明の器具登録手段を、器具情報の登録時に季節等の条件で登録作業が困難な場合に、あらかじめ設定された器具情報で代用する構成とすることにより、登録作業ができなかったガス器具についても、使用器具を判別することが可能となり、季節等の条件が整って再度登録するまでの間も、ある一定の精度で使用器具を判別することができる。
【００２９】
第２２の発明は、特に、第２１の発明の器具登録手段を、器具情報の登録をあらかじめ設定された情報で代用した場合に、登録作業が可能な時期がきたら、あらかじめ設定した連絡先に報知する報知手段を有する構成とすることにより、迅速に再度登録作業を行うことが可能となり、より精度良く使用器具を判別することができる。
【００３０】
第２３の発明は、特に、第１の発明の器具登録手段を、器具情報の登録時にガス圧を測定し、その値を同時に登録する構成とすることにより、ガス圧の影響を考慮することが可能となり、より精度良く使用器具を判別することができる。
【００３１】
第２４の発明は、特に、第２３の発明の器具登録手段を、登録時のガス圧から所定値以上のガス圧の変動があった場合に、あらかじめ設定した連絡先に報知する報知手段を有する構成とすることにより、迅速に再度登録作業を行うことが可能となり、より精度良く使用器具を判別することができる。
【００３２】
第２５の発明は、特に、第１〜２４のいずれか１つの発明の操作手段を、任意に着脱可能な構成とすることにより、登録作業時以外は前記操作手段を取り外しておくことが可能となり、流量計測装置本体を必要最低限の構成にしておくことができる。
【００３３】
第２６の発明は、特に、第１〜２４のいずれか１つの発明の操作手段を、無線で接続する構成とすることにより、流量計測装置本体から離れた場所で前記操作手段を操作することが可能となり、登録作業に柔軟性を持たせることができる。
【００３４】
第２７の発明は、特に、第１〜２６のいずれか１つの発明の流量計測装置を、瞬時流量計測手段としての超音波流量計を用いた構成とすることにより、流量が変化した瞬間に器具判別動作や学習動作を作動させることができ細かく動作している器具を判別することができる。
【００３５】
以下、本発明の実施の形態について、図面を参照しながら説明する。なお、本実施の形態によって本発明が限定されるものではない。
【００３６】
（実施の形態１）
図１は、本発明の第１の実施の形態における流量計測装置のブロック図を示すものである。
【００３７】
図１において流量計測装置は、ガス流路６に流れる流量を計測する流量計測手段７と、流量計測手段７の流量値と計測された流量値が継続する時間長さの流量情報を記憶する流量情報記憶手段８と、ガス流路６に接続されたガス器具９の種類にあわせてガス器具９の特徴的な流量情報が得られる個別の条件でガス器具９を動作させて器具情報を登録する器具登録手段１０と、器具登録手段１０で作業者が登録作業を行うための操作手段１１と、流量計測手段７で計測した流量情報と器具登録手段１０によって登録された流量情報を比
較して使用器具を判別する器具判別手段１２とを備えたものである。ここで、１３と１４はガス器具、１５はガス管路、１６は流量計測装置としてのガスメータ、１７は流路遮断弁である。
【００３８】
以上のように構成された流量計測装置について、以下その動作、作用を説明する。
【００３９】
まず、ガス器具９の器具情報の登録作業について説明する。
【００４０】
器具情報の登録作業は接続されたガス器具９の種類に合わせてガス器具９の特徴的な流量情報が得られる個別の条件で動作させて行う。例えば、流量情報は、ガス器具９を最大燃焼動作させた時の計測流量を最大流量（１）と、最小燃焼動作させた時の計測流量を最小流量（１）と、器具名（１）とを、流量情報記憶手段８に一旦記憶させた後、器具登録手段１０に登録する。
【００４１】
ここで、登録方法は、操作手段１１により器具登録手段１０を登録動作モードに設定して行うもので、例えば、最大流量（１）は、器具Ａのメモリーの最大流量の部分を入力状態にして、ガス器具９をある条件で最大燃焼動作させた時の流量を計測して記憶させる。同様に最小流量（１）も、最小流量の部分を入力状態にしておき、ガス器具９をある条件で最小燃焼動作させたときの流量を計測して記憶させる。
【００４２】
さらに、器具名（１）は、器具登録手段１０の登録メニューの中から、例えばガスファンヒータを選択して登録するものである。同様に、ガス器具１３についても器具を動作させて器具Ｂのメモリーに最大流量（２）、最小流量（２）、器具名（２）を登録していくのである。またガス器具１４についても手順は全く同様であり、以下登録するガス器具が増えるに従って、器具Ｃ、器具Ｄという形で順次登録していくのである。
【００４３】
このようにして器具情報と器具特有の流量情報を記憶した器具登録手段１０を備えることになり、計測流量情報との比較においてガス器具９の種類による特性の差を考慮した比較処理が可能となり、より精度よく使用器具を判別することが可能となる。
【００４４】
（実施の形態２）
図２は、本発明の第２の実施の形態における流量計測装置のフローチャート図を示すものである。
【００４５】
図２に示すように、器具情報の登録作業を行うガス器具９が給湯器である場合には、まず給湯器が最低温度設定の状態になっているかどうかを確認し、最低温度設定の状態になっていれば給湯器の動作を開始して登録情報を収集する。最低温度設定の状態になっていなければ最低温度設定の状態に設定した後、給湯器の動作を開始して登録情報を収集する。このような手順を行うことで使用する給湯器の判別に必要な最小流量値を登録することができるため、より精度良く使用器具を判別することができる。
【００４６】
（実施の形態３）
図３は、本発明の第３の実施の形態における流量計測装置のフローチャート図を示すものである。
【００４７】
図３に示すように、器具情報の登録作業を行うガス器具９が床暖房等の温水利用の暖房器具または乾燥器具である場合には、床暖房等の器具の動作を開始した後、所定の時間が経過するまで継続して登録情報を収集する。このような手順を行うことで使用する床暖房等の器具に特有の動作パターンを登録することができるため、より精度良く使用器具を判別することができる。
【００４８】
（実施の形態４）
図４は、本発明の第４の実施の形態における流量計測装置のフローチャート図を示すものである。
【００４９】
図４に示すように、器具情報の登録作業を行うガス器具９がエアコン等の室内機と室外機を有する空調システム器具である場合には、まず任意の室内機の動作を開始して登録情報を収集する。その後未登録の室内機があれば順次同様に登録情報を収集する。このような手順を行うことで使用する室内機を個別に判別することができるため、より精度良く使用器具を判別することができる。
【００５０】
なお、室内機を登録する順番については任意でかまわないものとする。
【００５１】
（実施の形態５）
図５は、本発明の第５の実施の形態における流量計測装置のフローチャート図を示すものである。
【００５２】
図５に示すように、器具情報の登録作業を行うガス器具９がファンヒーター等の温風利用の暖房器具である場合には、まずファンヒーター等の器具の動作を開始して登録情報を収集した後、同様に所定の回数の動作を繰り返して登録情報を収集する。所定の回数の登録情報が収集できたら平均値を算出して最終的な登録情報として登録を行う。このような手順を行うことで使用するファンヒーター等の器具の動作時の流量情報のバラツキを考慮することができるため、より精度良く使用器具を判別することができる。
【００５３】
（実施の形態６）
図６は、本発明の第６の実施の形態における流量計測装置のフローチャート図を示すものである。
【００５４】
図６に示すように、器具情報の登録作業を行うガス器具９がファンヒーター等の温風利用の暖房器具である場合には、まずファンヒーター等の器具を最高温度に設定した後、動作を開始して登録情報を収集する。次に最低温度に設定した後、同様に動作を開始して登録情報を収集する。そして流量値の幅を算出して最終的な登録情報として登録を行う。このような手順を行うことで使用するファンヒーター等の器具の起動時等の最大流量値と温度制御による最小流量値を登録することができるため、より精度良く使用器具を判別することができる。
【００５５】
なお、最高温度設定と最低温度設定を登録する順番については逆であってもよいものとする。
【００５６】
（実施の形態７）
図７は、本発明の第７の実施の形態における流量計測装置のフローチャート図を示すものである。
【００５７】
図７に示すように、器具情報の登録作業を行うガス器具９がストーブ等の赤外線利用の暖房器具である場合には、まずストーブ等の器具の動作を開始して登録情報を収集した後、同様に所定の回数の動作を繰り返して登録情報を収集する。所定の回数の登録情報が収集できたら平均値を算出して最終的な登録情報として登録を行う。このような手順を行うことで使用するストーブ等の器具の動作時の流量情報のバラツキを考慮することができるため、より精度良く使用器具を判別することができる。
【００５８】
（実施の形態８）
図８は、本発明の第８の実施の形態における流量計測装置のフローチャート図を示すものである。
【００５９】
図８に示すように、器具情報の登録作業を行うガス器具９がストーブ等の赤外線利用の暖房器具である場合には、まずストーブ等の器具を任意の暖房能力に設定した後、動作を開始して登録情報を収集する。その後未登録の暖房能力の設定があれば順次同様に登録情報を収集する。このような手順を行うことで使用するストーブ等の器具の暖房能力設定毎の流量を個別に登録することができるため、より精度良く使用器具を判別することができる。
【００６０】
なお、暖房能力設定の数についてはいくつであってもかまわないものとする。
【００６１】
（実施の形態９）
図９は、本発明の第９の実施の形態における流量計測装置のフローチャート図を示すものである。
【００６２】
図９に示すように、器具情報の登録作業を行うガス器具９がガスコンロまたはガスグリル等の調理器具である場合には、まずガスコンロ等の器具の動作を開始して登録情報を収集した後、同様に所定の回数の動作を繰り返して登録情報を収集する。所定の回数の登録情報が収集できたら平均値を算出して最終的な登録情報として登録を行う。このような手順を行うことで使用するガスコンロ等の器具の動作時の流量情報のバラツキを考慮することができるため、より精度良く使用器具を判別することができる。
【００６３】
（実施の形態１０）
図１０は、本発明の第１０の実施の形態における流量計測装置のフローチャート図を示すものである。
【００６４】
図１０に示すように、器具情報の登録作業を行うガス器具９がガスコンロまたはガスグリル等の調理器具である場合には、まずガスコンロ等の器具を最大流量値に設定した後、動作を開始して登録情報を収集する。次に最小流量値に設定した後、同様に動作を開始して登録情報を収集する。そして流量値の幅を算出して最終的な登録情報として登録を行う。このような手順を行うことで使用するガスコンロ等の器具の火加減に関係なく使用器具を判別することができるため、より精度良く使用器具を判別することができる。
【００６５】
なお、最大流量値と最小流量値を登録する順番については逆であってもよいものとする。
【００６６】
また最小流量値で起動ができない器具の場合は、起動後に最小流量値設定してもよいものとする。
【００６７】
（実施の形態１１）
図１１は、本発明の第１１の実施の形態における流量計測装置のフローチャート図を示すものである。
【００６８】
図１１に示すように、器具情報の登録作業を行うガス器具９がガスコンロまたはガスグリル等の調理器具である場合には、まずガスコンロ等の器具に搭載された任意の口のコンロまたはグリルの動作を開始して登録情報を収集する。その後未登録のコンロまたはグリルあれば順次同様に登録情報を収集する。このような手順を行うことで使用するガスコンロ等の器具に搭載されたコンロとグリルを個別に登録して判別することができるため、よ
り精度良く使用器具を判別することができる。
【００６９】
（実施の形態１２）
図１２は、本発明の第１２の実施の形態における流量計測装置のフローチャート図を示すものである。
【００７０】
図１２に示すように、器具情報の登録作業を行うガス器具９がガスオーブン等の調理器具である場合には、まずガスオーブン等の器具の動作を開始して登録情報を収集した後、同様に所定の回数の動作を繰り返して登録情報を収集する。所定の回数の登録情報が収集できたら平均値を算出して最終的な登録情報として登録を行う。このような手順を行うことで使用するガスオーブン等の器具の動作時の流量情報のバラツキを考慮することができるため、より精度良く使用器具を判別することができる。
【００７１】
（実施の形態１３）
図１３は、本発明の第１３の実施の形態における流量計測装置のフローチャート図を示すものである。
【００７２】
図１３に示すように、器具情報の登録作業を行うガス器具９がガスオーブン等の調理器具である場合には、まずガスオーブン等の器具を任意の温度に設定した後、動作を開始して登録情報を収集する。その後未登録の温度の設定があれば順次同様に登録情報を収集する。このような手順を行うことで使用するガスオーブン等の器具の設定温度毎の動作パターンを個別に登録することができるため、より精度良く使用器具を判別することができる。
【００７３】
なお、登録する設定温度については全ての温度を登録せずに代表的な設定温度のみを登録してもよいものとする。
【００７４】
（実施の形態１４）
図１４は、本発明の第１４の実施の形態における流量計測装置のフローチャート図を示すものである。
【００７５】
図１４に示すように、器具情報の登録作業を行うガス器具９がガス炊飯器等の調理器具である場合には、まずガス炊飯器等の器具の動作を開始して登録情報を収集した後、同様に所定の回数の動作を繰り返して登録情報を収集する。所定の回数の登録情報が収集できたら平均値を算出して最終的な登録情報として登録を行う。このような手順を行うことで使用するガス炊飯器等の器具の動作時の流量情報のバラツキを考慮することができるため、より精度良く使用器具を判別することができる。
【００７６】
（実施の形態１５）
図１５は、本発明の第１５の実施の形態における流量計測装置のフローチャート図を示すものである。
【００７７】
図１５に示すように、器具情報の登録作業を行うガス器具９がガス炊飯器等の調理器具である場合には、まずガス炊飯器等の器具を最大炊飯量に設定した後、動作を開始して登録情報を収集する。次に最小炊飯量に設定した後、同様に動作を開始して登録情報を収集する。そして流量値の幅を算出して最終的な登録情報として登録を行う。このような手順を行うことで使用するガス炊飯器等の器具の実使用時の流量範囲を登録することができるため、より精度良く使用器具を判別することができる。
【００７８】
なお、最大炊飯量と最小炊飯量を登録する順番については逆であってもよいものとする
。
【００７９】
（実施の形態１６）
図１６は、本発明の第１６の実施の形態における流量計測装置のフローチャート図を示すものである。
【００８０】
図１６に示すように、器具情報の登録作業を行うガス器具９が衣類乾燥機等の器具である場合には、まず衣類乾燥機等の器具の動作を開始して登録情報を収集した後、同様に所定の回数の動作を繰り返して登録情報を収集する。所定の回数の登録情報が収集できたら平均値を算出して最終的な登録情報として登録を行う。このような手順を行うことで使用する衣類乾燥機等の器具の動作時の流量情報のバラツキを考慮することができるため、より精度良く使用器具を判別することができる。
【００８１】
（実施の形態１７）
図１７は、本発明の第１７の実施の形態における流量計測装置のフローチャート図を示すものである。
【００８２】
図１７に示すように、器具情報の登録作業を行うガス器具９が衣類乾燥機等の器具である場合には、まず衣類乾燥機等の器具を最大負荷のコースに設定した後、動作を開始して登録情報を収集する。次に最小負荷のコースに設定した後、同様に動作を開始して登録情報を収集する。そして流量値の幅を算出して最終的な登録情報として登録を行う。このような手順を行うことで使用する衣類乾燥機等の器具の実使用時の流量範囲を登録することができるため、より精度良く使用器具を判別することができる。
【００８３】
なお、最大負荷のコースと最小負荷のコースを登録する順番については逆であってもよいものとする。
【００８４】
（実施の形態１８）
図１８は、本発明の第１８の実施の形態における流量計測装置のフローチャート図を示すものである。
【００８５】
図１８に示すように、器具情報の登録作業を行うガス器具９が食器洗い乾燥機等の器具である場合には、まず食器洗い乾燥機等の器具の動作を開始して登録情報を収集した後、同様に所定の回数の動作を繰り返して登録情報を収集する。所定の回数の登録情報が収集できたら平均値を算出して最終的な登録情報として登録を行う。このような手順を行うことで使用する食器洗い乾燥機等の器具の動作時の流量情報のバラツキを考慮することができるため、より精度良く使用器具を判別することができる。
【００８６】
（実施の形態１９）
図１９は、本発明の第１９の実施の形態における流量計測装置のフローチャート図を示すものである。
【００８７】
図１９に示すように、器具情報の登録作業を行うガス器具９が食器洗い乾燥機等の器具である場合には、まず食器洗い乾燥機等の器具を最大負荷のコースに設定した後、動作を開始して登録情報を収集する。次に最小負荷のコースに設定した後、同様に動作を開始して登録情報を収集する。そして流量値の幅を算出して最終的な登録情報として登録を行う。このような手順を行うことで使用する食器洗い乾燥機等の器具の実使用時の流量範囲を登録することができるため、より精度良く使用器具を判別することができる。
【００８８】
なお、最大負荷のコースと最小負荷のコースを登録する順番については逆であってもよ
いものとする。
【００８９】
（実施の形態２０）
図２０は、本発明の第２０の実施の形態における流量計測装置のブロック図を示すものである。
【００９０】
図２０において流量計測装置は、器具登録手段１８を、あらかじめ代表的な器具情報が設定されている構成とするもので、例えば、器具Ａのメモリーに器具名（１）、代表最大流量（１）、代表最小流量（１）、代表始動流量（１）を、器具Ｂのメモリーに器具名（２）、代表最大流量（２）、代表最小流量（２）、代表始動流量（２）を、以下同様に器具Ｃ、器具Ｄに代表器具情報を設定しておくのである。
【００９１】
このような形であらかじめ代表的な器具情報を設定しておくことで、ガス器具９の登録作業を行っていなくても、使用器具を判別することができるため、すぐに登録作業を行うことが困難な場合でもある一定の精度で使用器具を判別することができる。
【００９２】
（実施の形態２１）
図２１は、本発明の第２１の実施の形態における流量計測装置のブロック図を示すものである。
【００９３】
図２１において流量計測装置は、器具登録手段１９を、器具情報の登録時に季節等の条件で登録作業が困難な場合に、あらかじめ設定された器具情報で代用する構成とするもので、例えば、登録時期が夏場で、器具９がガスコンロ、器具１３がファンヒーターであるとする。
【００９４】
ガスコンロについては季節に関係なく動作させることができるので、器具Ａのメモリーに器具名（１）、代表最大流量（１）、代表最小流量（１）、代表始動流量（１）という形で登録できるが、ファンヒーターについては現実問題として夏場に器具を動作させることが困難である。このような場合に代表的な器具情報で代用し、器具Ｂのメモリーに器具名（２）、代表最大流量（２）、代表最小流量（２）、代表始動流量（２）を設定しておくのである。
【００９５】
このような形であらかじめ代表的な器具情報で代用しておくことで、登録作業ができなかったガス器具１３についても、使用器具を判別することができるため、季節等の条件が整って再度登録するまでの間も、ある一定の精度で使用器具を判別することができる。
【００９６】
（実施の形態２２）
図２２は、本発明の第２２の実施の形態における流量計測装置のブロック図を示すものである。
【００９７】
図２２において流量計測装置は、器具登録手段２０を、器具情報の登録をあらかじめ設定された情報で代用した場合に、登録作業が可能な時期がきたら、あらかじめ設定した連絡先に報知する報知手段２１を有する構成とするもので、例えば、夏場に器具１３の登録作業ができず、器具Ｂのメモリーに器具名（２）、代表最大流量（２）、代表最小流量（２）、代表始動流量（２）という情報で代用されているような場合、季節が冬場に近づき登録作業が可能な時期がきた時に、報知手段２１がサービス会社に対して報知を行い、報知を受けたサービス会社が再度、器具１３の登録作業を行うのである。
【００９８】
このような形で報知手段２１が報知を行うことで迅速に再度登録作業を行うことができるため、より精度良く使用器具を判別することができる。
【００９９】
（実施の形態２３）
図２３は、本発明の第２３の実施の形態における流量計測装置のブロック図を示すものである。
【０１００】
図２３において流量計測装置は、器具登録手段２２を、器具情報の登録時にガス圧検出手段２３によってガス圧を測定し、その値を器具情報と同時に登録する構成とするもので、器具登録時のガス圧の影響を考慮することができるため、より精度良く使用器具を判別することができる。
【０１０１】
（実施の形態２４）
図２４は、本発明の第２４の実施の形態における流量計測装置のブロック図を示すものである。
【０１０２】
図２４において流量計測装置は、器具登録手段２４を、登録時のガス圧から所定値以上のガス圧の変動があった場合に、あらかじめ設定した連絡先に報知する報知手段２５を有する構成とするもので、例えばガスの供給世帯が増加した等の理由でガス圧が低下してしまったような場合に、報知手段２１がサービス会社に対して報知を行い、報知を受けたサービス会社が再度、器具情報の登録作業を行うのである。
【０１０３】
このような形で報知手段２１が報知を行うことで迅速に再度登録作業を行うことができるため、より精度良く使用器具を判別することができる。
【０１０４】
（実施の形態２５）
図２５は、本発明の第２５の実施の形態における流量計測装置のブロック図を示すものである。
【０１０５】
図２５において流量計測装置は、操作手段２６を、コネクタ２７及びコネクタ２８を介して任意に着脱可能な構成とするもので、登録作業時以外は操作手段２６を取り外しておくことができるため、流量計測装置本体を必要最低限の構成にしておくことができる。
【０１０６】
（実施の形態２６）
図２６は、本発明の第２６の実施の形態における流量計測装置のブロック図を示すものである。
【０１０７】
図２６において流量計測装置は、操作手段２９を、アダプタ３０及びアダプタ３１を介して無線で接続する構成とするもので、流量計測装置本体から離れた場所で操作手段２９を操作することができるため、登録作業に柔軟性を持たせることができる。
【産業上の利用可能性】
【０１０８】
以上のように、本発明にかかる流量計測装置は、ガス流路に流れる流量を計測する流量計測手段と、前記流量計測手段の流量値と計測された流量値が継続する時間長さの流量情報を記憶する流量情報記憶手段と、前記ガス流路に接続されたガス器具の種類にあわせて個別の条件で前記ガス器具を動作させて器具情報を登録する器具登録手段と、前記器具登録手段で作業者が登録作業を行うための操作手段と、前記流量計測手段で計測した流量情報と前記器具登録手段によって登録された流量情報を比較して使用器具を判別する器具判別手段とを備えることで、器具情報と流量情報を記憶したガス器具はガス器具の種類による特性の差を考慮することができるため、より精度良く使用器具を判別することができるので、ガス以外の流量測定の用途にも適用できる。
【図面の簡単な説明】
【０１０９】
【図１】本発明の実施形態１における流量計測装置のブロック図
【図２】本発明の実施形態２における流量計測装置の処理を示すフローチャート
【図３】本発明の実施形態３における流量計測装置の処理を示すフローチャート
【図４】本発明の実施形態４における流量計測装置の処理を示すフローチャート
【図５】本発明の実施形態５における流量計測装置の他の処理を示すフローチャート
【図６】本発明の実施形態６における流量計測装置の他の処理を示すフローチャート
【図７】本発明の実施形態７における流量計測装置の他の処理を示すフローチャート
【図８】本発明の実施形態８における流量計測装置の他の処理を示すフローチャート
【図９】本発明の実施形態９における流量計測装置の他の処理を示すフローチャート
【図１０】本発明の実施形態１０における流量計測装置の他の処理を示すフローチャート
【図１１】本発明の実施形態１１における流量計測装置の他の処理を示すフローチャート
【図１２】本発明の実施形態１２における流量計測装置の他の処理を示すフローチャート
【図１３】本発明の実施形態１３における流量計測装置の他の処理を示すフローチャート
【図１４】本発明の実施形態１４における流量計測装置の他の処理を示すフローチャート
【図１５】本発明の実施形態１５における流量計測装置の他の処理を示すフローチャート
【図１６】本発明の実施形態１６における流量計測装置の他の処理を示すフローチャート
【図１７】本発明の実施形態１７における流量計測装置の他の処理を示すフローチャート
【図１８】本発明の実施形態１８における流量計測装置の他の処理を示すフローチャート
【図１９】本発明の実施形態１９における流量計測装置の他の処理を示すフローチャート
【図２０】本発明の実施形態２０における流量計測装置のブロック図
【図２１】本発明の実施形態２１における流量計測装置のブロック図
【図２２】本発明の実施形態２２における流量計測装置のブロック図
【図２３】本発明の実施形態２３における流量計測装置のブロック図
【図２４】本発明の実施形態２４における流量計測装置のブロック図
【図２５】本発明の実施形態２５における流量計測装置のブロック図
【図２６】本発明の実施形態２６における流量計測装置のブロック図
【図２７】従来の流量計測装置のブロック図
【符号の説明】
【０１１０】
６  ガス流路
７  流量計測手段
８  流量情報記憶手段
９  ガス器具
１０  器具登録手段
１１  操作手段
１２  器具判別手段
１３、１４  ガス器具
１５  ガス管路
１６  ガスメータ
１７  流路遮断弁
１８  器具登録手段
１９  器具登録手段
２０  器具登録手段
２１  報知手段
２２  器具登録手段
２３  ガス圧検出手段
２４  器具登録手段
２５  報知手段
２６  操作手段
２７  コネクタ
２８  コネクタ
２９  操作手段
３０  アダプタ
３１  アダプタ
【図１】
2008107269.tif 000003
【図２】
2008107269.tif 000004
【図３】
2008107269.tif 000005
【図４】
2008107269.tif 000006
【図５】
2008107269.tif 000007
【図６】
2008107269.tif 000008
【図７】
2008107269.tif 000009
【図８】
2008107269.tif 000010
【図９】
2008107269.tif 000011
【図１０】
2008107269.tif 000012
【図１１】
2008107269.tif 000013
【図１２】
2008107269.tif 000014
【図１３】
2008107269.tif 000015
【図１４】
2008107269.tif 000016
【図１５】
2008107269.tif 000017
【図１６】
2008107269.tif 000018
【図１７】
2008107269.tif 000019
【図１８】
2008107269.tif 000020
【図１９】
2008107269.tif 000021
【図２０】
2008107269.tif 000022
【図２１】
2008107269.tif 000023
【図２２】
2008107269.tif 000024
【図２３】
2008107269.tif 000025
【図２４】
2008107269.tif 000026
【図２５】
2008107269.tif 000027
【図２６】
2008107269.tif 000028
【図２７】
2008107269.tif 000029